(57)【要約】【課題】アームに設けられたノズルが壁に衝突することを防止できるシャワー装置を提供する。【解決手段】壁２に固定可能な被固定部（湯水混合栓３０）と、被固定部に連結されたアーム型シャワー４とを備える。アーム型シャワー４は、一端部が被固定部に対して回動自在に連結されて、この連結部分より前側に向かって突出する前位置から下側に向かって回動可能とされたアーム４０と、アーム４０から突出するノズル４１を有する。壁２に固定されるストッパー５をさらに備える。下側に向かって回動されたアーム４０がストッパー５に当たってそれ以上の回動が制限され、この状態でアーム４０から突出したノズル４１が、壁２から前側に離れた位置に配置されるようにする。【選択図】図１
2014236918.tif 000002
【特許請求の範囲】
【請求項１】
壁に固定可能な被固定部と、
前記被固定部に連結されたアーム型シャワーとを備え、
前記アーム型シャワーは、
一端部が前記被固定部に対して回動自在に連結されて、この連結部分より前側に向かって突出する前位置から下側に向かって回動可能とされたアームと、
前記アームから突出したノズルとを有し、
前記アームを前記前位置に配置した状態で前記ノズルを下側に向かって突出させて利用可能なシャワー装置であって、
前記壁に固定されるストッパーをさらに備え、
下側に向かって回動された前記アームが前記ストッパーに当たってそれ以上の回動が制限され、この状態で前記アームから突出した前記ノズルが、前記壁から前側に離れた位置に配置されるようにしたことを特徴とするシャワー装置。
【請求項２】
前記ストッパーが前側に開口する溝部を有し、
前記溝部の両側面部の間に、下側に向かって回動された前記アームの長手方向の一部が挿入されて挟まれるようにし、この溝部の溝幅を前側に行く程大きくしたことを特徴とする請求項１に記載のシャワー装置。
【請求項３】
前記ストッパーが前側に開口する溝部を有し、
前記溝部の両側面部の間に、下側に向かって回動された前記アームの長手方向の一部が挿入されて挟まれるようにし、この溝部の両側面部を、上下方向の中間部から上方及び下方に行くにつれて溝幅方向の外側に位置するように傾斜させたことを特徴する請求項１又は請求項２に記載のシャワー装置。
【請求項４】
前記ストッパーにおいて前記アームに当たる部分の表面硬度を、前記アームにおいて前記ストッパーに当たる部分の表面硬度よりも小さくしたことを特徴とする請求項１乃至３のいずれか１項に記載のシャワー装置。
【発明の詳細な説明】
【技術分野】
【０００１】
本発明は、回動可能なアーム型シャワーを備えたシャワー装置に関する。
【背景技術】
【０００２】
特許文献１には、浴室壁面に設置されるシャワー装置が開示されている。このシャワー装置の両側には、複数のノズルを備えた略管状の湯噴出手段が設けられている。湯噴出手段は、浴室壁面より室内側となる前側に突出した位置から、浴室壁面に沿った位置まで移動可能となっている。
【先行技術文献】
【特許文献】
【０００３】
【特許文献１】特開平９−１２２０３４号公報
【発明の概要】
【発明が解決しようとする課題】
【０００４】
特許文献１に開示されるシャワー装置は、湯噴出手段を浴室壁面に沿った位置まで動かしたときに、湯噴出手段から突出したノズルが浴室壁面に衝突して破損する恐れがある。
【０００５】
本発明は前記事情に鑑みてなされたものであって、ノズルが壁に衝突することを防止できるシャワー装置を提供することを課題とする。
【課題を解決するための手段】
【０００６】
上記課題を解決するために本発明のシャワー装置は、壁に固定可能な被固定部と、前記被固定部に連結されたアーム型シャワーとを備え、前記アーム型シャワーは、一端部が前記被固定部に対して回動自在に連結されて、この連結部分より前側に向かって突出する前位置から下側に向かって回動可能とされたアームと、前記アームから突出したノズルとを有し、前記アームを前記前位置に配置した状態で前記ノズルを下側に向かって突出させて利用可能なシャワー装置であって、前記壁に固定されるストッパーをさらに備え、下側に向かって回動された前記アームが前記ストッパーに当たってそれ以上の回動が制限され、この状態で前記アームから突出した前記ノズルが、前記壁から前側に離れた位置に配置されるようにしたことを特徴とする。
【０００７】
また、前記ストッパーが前側に開口する溝部を有し、前記溝部の両側面部の間に、下側に向かって回動された前記アームの長手方向の一部が挿入されて挟まれるようにし、この溝部の溝幅を前側に行く程大きくすることが好ましい。
【０００８】
また、前記ストッパーが前側に開口する溝部を有し、前記溝部の両側面部の間に、下側に向かって回動された前記アームの長手方向の一部が挿入されて挟まれるようにし、この溝部の両側面部を、上下方向の中間部から上方及び下方に行くにつれて溝幅方向の外側に位置するように傾斜させることが好ましい。
【０００９】
また、前記ストッパーにおいて前記アームに当たる部分の表面硬度を、前記アームにおいて前記ストッパーに当たる部分の表面硬度よりも小さくすることが好ましい。
【発明の効果】
【００１０】
本発明にあっては、アームがストッパーに当たった状態で、アームに設けられたノズルを壁から前側に離れた位置に配置することができる。このため、使用者がアームを下側に向かって回動したときに、アームに設けられたノズルが壁に衝突することを防止でき、ノズルの破損等を生じ難くすることができる。
【図面の簡単な説明】
【００１１】
【図１】本発明の実施形態のシャワー装置を壁に設置した状態を示す斜視図である。
【図２】図１の側面図である。
【図３】同上の要部側断面図である。
【図４】同上のシャワー装置のアームを前位置に配置した状態を示す側面図である。
【図５】同上のシャワー装置のストッパーの斜視図である。
【図６】同上のストッパーを示し、（ａ）は正面図、（ｂ）は平面図、（ｃ）は背面図である。
【図７】（ａ）は図６（ｃ）のＡ−Ａ′断面図であり、（ｂ）は（ａ）のＢ−Ｂ′断面図である。
【図８】同上のストッパーにアーム型シャワーを嵌め込んだ状態を示す説明図である。
【発明を実施するための形態】
【００１２】
以下、本発明の実施形態について説明する。図１に示されるように、本実施形態のシャワー装置１は、浴室の壁２に設置される。以下、この設置状態における方向を基準にして説明する。すなわち、以下では、図１において矢印Ｄ１で示される方向を前方、矢印Ｄ２で示される方向を後方、矢印Ｄ３で示される方向を上方、矢印Ｄ４で示される方向を下方として、シャワー装置１について説明する。
【００１３】
シャワー装置１は、装置本体３、アーム型シャワー４、オーバーヘッドシャワー（不図示）、ハンドシャワー（不図示）、及びストッパー５を備えている。
【００１４】
装置本体３は壁２に取り付けられる。装置本体３は、湯水混合栓３０とカバー３１を備えている。
【００１５】
湯水混合栓３０は、給水管（不図示）から供給された水と、給湯管（不図示）から供給された湯を所望の割合で混合して、所望温度の湯水を生成するものである。給水管及び給湯管は、浴室外から壁２を通して浴室内に導入され、この後、湯水混合栓３０に接続される。給水管及び給湯管において壁２から浴室内に導入された部分は、カバー３１によって覆われる。
【００１６】
湯水混合栓３０の前端部は、左右に長い円筒状の筒部３００で構成されている。筒部３００は、壁２から前側に離れた位置に配置される。
【００１７】
筒部３００には、操作部として、レバー３３、３４が設けられている。使用者は、レバー３３を操作することで、湯水吐出手段として設けられた、アーム型シャワー４、第二ノズル３２、オーバーヘッドシャワー、及びハンドシャワーのいずれから湯水を吐出するかを切り替えられるようになっている。レバー３３は、各湯水吐出手段から吐出される湯水の量を調節するための操作部を兼ねている。また、使用者は、レバー３４を操作することで、湯水混合栓３０で生成される湯水の温度を調節できるようになっている。
【００１８】
湯水混合栓３０において筒部３００よりも後側に位置する部分（不図示）は、ビス等の固着具を用いて壁２に取り付けられる部分となる。すなわち、湯水混合栓３０は、壁２に固定される被固定部となっている。湯水混合栓３０の後部は、壁２の前面に沿って配置されたカウンター３１０によって覆われる。カウンター３１０は、左右に長い略矩形箱状に形成されており、湯水混合栓３０に取り付けられる。
【００１９】
カバー３１は、カウンター３１０と、カウンター３１０の下方に設けられた複数のカバー体３１１とで構成されている。本実施形態では、３つのカバー体３１１がカウンター３１０から下側に向かって順に並べて設けられている。これらカバー体３１１は、図示しない固定金具を用いて壁２に取り付けられる。固定金具は、カバー体３１１によって覆われる。
【００２０】
カバー体３１１には、第二ノズル３２が設けられている。第二ノズル３２は、図示しない接続管を通じて湯水混合栓３０に接続される。第二ノズル３２は、湯水混合栓３０から供給された湯水を霧状にして前側に噴出する。例えば第二ノズル３２は、装置本体３の前側に壁２と反対向きで座った利用者の腰部に水を噴出するために用いられる。
【００２１】
カバー３１の上端部を構成するカウンター３１０には、オーバーヘッドシャワーを接続するための接続部３１２と、ハンドシャワーを接続するための接続部３１３が設けられている。
【００２２】
オーバーヘッドシャワーは、接続部３１２から立ち上げられる立上管の先端部にシャワーヘッドを設けたものである。ハンドシャワーは接続部３１３に一端部が接続される可撓性を有するホースの他端部にシャワーヘッドを設けたものである。オーバーヘッドシャワー及びハンドシャワーは、装置本体３に選択的に取り付けられるものであって、省略可能である。
【００２３】
湯水混合栓３０の筒部３００の左右両端部は、左右方向において、下方のカバー体３１１よりも外側に突出している。この筒部３００の左右両端部には、アーム型シャワー４が連結される連結部３０１が設けられている。
【００２４】
各アーム型シャワー４は、棒状のアーム４０と、アーム４０に設けられた複数のノズル４１を有している。アーム４０は、直管状の配管４００（図３参照）と、配管４００よりも一回り大きい直管状で配管４００を囲む配管カバー４０１を有している。配管カバー４０１は、例えば金属製の管材の表面にめっきを施して形成される。
【００２５】
各アーム４０の配管４００の長手方向の一端部は、対応する連結部３０１に連結されている。これにより、装置本体３の両側にアーム型シャワー４が設けられている。湯水混合栓３０で生成された湯水は、各アーム型シャワー４の配管４００に連結部３０１を介して供給できるようになっている。
【００２６】
各アーム４０が連結された連結部３０１は、筒部３００に対して回動自在に連結されている。各連結部３０１の筒部３００に対する回動軸方向は、左右方向と平行である。このため、各連結部３０１に連結されたアーム４０は、連結部３０１を中心に上下に回動可能となっている。
【００２７】
両アーム４０の湯水混合栓３０に対する上下の回動は、互いに独立して行えるようにしてもよいし、同期して行えるようにしてもよい。前者の場合、使用者は、各アーム４０の装置本体３からの突出方向を調節することができるため、アーム４０の各ノズル４１から吐出された湯水を身体の所望の部位に容易に浴びることができる。後者の場合、使用者は、一方のアーム４０を回動するだけで、両アーム４０を湯水混合栓３０から同一方向に突出させることができ、使い勝手がよい。なお、両アーム４０の上下の回動を同期させるには、例えば両アーム４０の連結部３０１同士を連結すればよい。
【００２８】
各アーム４０の配管４００は、対応する連結部３０１に対して、配管４００の中心軸を中心に回転自在に連結されている。配管カバー４０１は配管４００に固定されており、配管４００と共に周方向に回動するようになっている。このため、使用者は、管状の配管カバー４０１を周方向に回動して、アーム４０に設けられた各ノズル４１の向きをアーム４０の周方向に変更できるようになっている。
【００２９】
ノズル４１は、各アーム４０の長手方向に間隔を介して複数設けられている。これらノズル４１は、アーム４０の外周面において同じ側を向く面部に設けられ、アーム４０の周方向において同じ位置に配置されている。このため、使用者は、同一のアーム４０に設けられた全てのノズル４１を同一方向に向けることができる。
【００３０】
図３に示されるように、各ノズル４１のアーム４０と反対側の部分である先部は、配管カバー４０１の外周面から外側に向かって突出している。各ノズル４１には、ノズル４１の軸方向に貫通したノズル孔４１０が形成されている。各ノズル４１のノズル孔４１０は、配管４００内に通じている。湯水混合栓３０から配管４００に供給された湯水は、ノズル孔４１０から各ノズル４１の先端側に霧状に噴出されるようになっている。なお、ノズル４１は、一本の直線状の水流を吐出するものであってもよい。
【００３１】
各ノズル４１は、ユニバーサルジョイント機構を介してアーム４０に連結されている。このため、各ノズル４１は、アーム４０からの突出方向、すなわち、湯水を噴出する方向を自在に変更することができる。
【００３２】
ユニバーサルジョイント機構は、ノズル４１に形成されたジョイント部４１１と、アーム４０に設けられた軸受部４０２とで構成されている。軸受部４０２は、配管４００に設けられた孔４０３の内周面部と、配管カバー４０１に設けられた保持部４０５とで構成されており、略球面状の内面部を有している。
【００３３】
ジョイント部４１１は、ノズル４１の基部側に形成されており、球面状の外面部を有している。ジョイント部４１１は、配管４００の孔４０３の周縁部と保持部４０５との間において保持されている。
【００３４】
ジョイント部４１１は、軸受部４０２の略球面状の内面部に沿って回動自在となっている。このように各ノズル４１をアーム４０に対して回動自在に設けることで、各ノズル４１のアーム４０からの突出方向を使用者の所望の向きに向けることができる。なお、各ノズル４１のアーム４０に対する回動範囲は、ノズル４１の先部が配管カバー４０１の孔４０４の縁部に当たることによって所定範囲に制限される。
【００３５】
シャワー装置１を用いる場合、図１に示される湯水混合栓３０のレバー３３を操作して、両アーム４０、第二ノズル３２、オーバーヘッドシャワー、及びハンドシャワーのいずれかから、湯水混合栓３０で生成された湯水を吐出する。
【００３６】
使用者は、両アーム４０から湯水を吐出する際に、湯水混合栓３０に連結された両アーム４０を上下に回動して湯水混合栓３０から任意の方向に突出させることができる。また、使用者は、各アーム４０を連結部３０１に対して周方向に回動させたり、ノズル４１をアーム４０に対して回動させたりすることで、ノズル４１の向きを変更することもできる。このため、使用者は、体格や、姿勢、湯水を浴びたい部位等に応じて、ノズル４１の位置や向きを変更することができる。
【００３７】
例えば、使用者は、図４に示されるように両アーム４０を湯水混合栓３０から前側に向けて突出した前位置に配置して各ノズル４１を下側に向けることで、両アーム４０の下側に座った姿勢で両アーム４０のノズル４１から吐出された湯水を浴びることができる。
【００３８】
また、使用者は、両アーム４０を前記前位置に配置し、各ノズル４１を両アーム４０の間に向けることで、両アーム４０の間において立った姿勢あるいは座った姿勢で、両アーム４０のノズル４１から噴出された湯水を浴びることができる。
【００３９】
また、使用者は、両アーム４０を湯水混合栓３０から下側に向けて突出させた下位置あるいは上側に向けて突出させた上位置に配置し、各ノズル４１を前側に向けることでも、両アーム４０のノズル４１から噴出された湯水を浴びることができる。
【００４０】
また、使用者は、図１及び図２に示されるように、両アーム４０を湯水混合栓３０から後斜め下方に向かって突出させた非使用位置に配置することもできる。非使用位置に配置された両アーム４０は、装置本体３の複数のカバー体３１１の左右方向における外側で且つ壁２に沿った位置に配置される。このため、非使用位置に配置されたアーム４０は、浴室内に居る人にとって邪魔になり難くなる。
【００４１】
図１に示されるように、ストッパー５は、壁２においてアーム型シャワー４に対応する位置に取り付けられる。このように壁２に取り付けられたストッパー５には、非使用位置まで回動されたアーム４０の長手方向の一部で且つノズル４１が設けられていない箇所が当たり、これにより、アーム４０から突出したノズル４１の壁２への衝突が防止されるようになる。
【００４２】
なお、図１に示されるシャワー装置１は、両アーム４０の上下の回動が同期するものであって一方のアーム４０の回動を止めることで他方のアーム４０の回動が止まるものである。このためストッパー５は、一方のアーム４０に対応する箇所にのみ設置されている。なお、ストッパー５は、各アーム４０に対応する箇所に夫々設置されてもよい。
【００４３】
本実施形態のストッパー５は、図１に示されるように壁２において非使用位置に配置されたアーム４０の先端部に対応する箇所に取り付けられ、アーム４０の先端部が当たるようになっている。
【００４４】
ストッパー５は、図５に示されるように、略溝状に形成されており、壁２に取り付けられる被取付部５０と、被取付部５０の左右両端部から前側に突出した突部５１とで構成されている。ストッパー５の両突部５１の間には、上下、及び前側に開口した溝部５２が形成されている。溝部５２の溝底面となる奥面部５２０は、被取付部５０で構成されている。詳しくは、奥面部５２０は、被取付部５０の両突部５１の間に露出した面部である。溝部５２の両側の側面部５２１は、突部５１で構成されている。
【００４５】
被取付部５０において溝部５２の奥面部５２０を構成する部分の上下には、前後方向に貫通した孔５３が形成されている。ストッパー５の壁２への取り付けは、図３に示されるように、被取付部５０の後面部を壁２の前面（壁面）に当接して各孔５３に前側からねじ６０を通し、各ねじ６０を壁２にねじ込むことで行われる。各孔５３の前部は後方部よりも孔径の大きなざぐり部５３０となっている。このため、壁２にねじ込まれたねじ６０の頭部を、ざぐり部５３０に収納することで、ねじ６０の頭部を溝部５２の奥面部５２０より前側に突出しないようにすることができる。
【００４６】
溝部５２には、非使用位置に配置されたアーム４０の先端部（下端部）を挿入できるようになっている。本実施形態では、溝部５２がストッパー５においてアーム４０に当たる当たり部となっている。
【００４７】
ストッパー５は、例えばエラストマー等の材料によって形成される。ストッパー５の溝部５２の内面部は、その表面硬度がアーム４０の外周面部を構成する配管カバー４０１の表面硬度よりも小さくなっている。このため、アーム４０がストッパー５に当たったときに、アーム４０を傷付き難くすることができる。
【００４８】
図７（ｂ）に示されるように、溝部５２の奥面部５２０は、断面が後側に突となる半円弧状に形成されている。この断面半円弧状の奥面部５２０の半径は、アーム４０（配管カバー４０１）の外周面の半径と略同じである。詳しくは、奥面部５２０の半径は、アーム４０の外周面の半径よりも僅かに小さい。
【００４９】
溝部５２の両側面部５２１は、奥面部５２０の幅方向の両端から前側に向かって延びている。溝部５２の両側面部５２１の間の距離、すなわち、図７（ｂ）に示される溝幅ｂは、アーム４０の外径と略一致している。このため、図８に示されるように、アーム４０の先端部を溝部５２に前側から挿入したときに、溝部５２の両側面部５２１でアーム４０の先端部が挟まれて保持されるようになっている。
【００５０】
また、僅かではあるが、溝部５２の溝幅ｂは、後端がアーム４０の外径よりも小さく且つ前端がアーム４０の外径よりも僅かに大きくなり、さらに溝部５２の両側面部５２１は、前側に行くにつれて溝幅方向の外側に位置するように傾斜している。このため、アーム４０は、製造誤差によりその外径に多少のばらつきが生じる場合等にも、図８中二点鎖線で示されるアーム４０のように、溝部５２に嵌め込んで保持することができる。
【００５１】
図３に示されるように、溝部５２の奥面部５２０は、下側に行く程後側に位置するように傾斜している。奥面部５２０は、被取付部５０の後面部を鉛直な壁２に当接したときに、非使用位置に配置されたアーム４０の長手方向と略平行になる。
【００５２】
ストッパー５の後面部と溝部５２の奥面部５２０までの前後方向の距離は、アーム４０の先端部を溝部５２の奥面部５２０に当てた状態で、アーム４０の最下端に位置するノズル４１の後方への最大突出量よりも大きくなっている。このため、アーム４０の先端部が溝部５２の奥面部５２０に当たったときには、このアーム４０の全てのノズル４１が壁２よりも隙間を介して前側に位置するようになっている。
【００５３】
図６（ａ）は、ストッパー５の正面図である。ストッパー５の溝部５２の溝幅ｂは、上下方向の中間部がアーム４０の外径と同じであるか又は僅かに小さく、また、上端及び下端がアーム４０の外径よりも大きくなっている。溝部５２の両側面部５２１は、上下方向における中間部から上方及び下方に行くにつれて溝幅方向の外側に位置するように傾斜している。このため、装置本体３やストッパー５の設置位置のばらつき等により、アーム４０の長手方向が溝部５２の長手方向に対して多少傾いた場合にも、アーム４０の先端部を溝部５２に嵌め込んで保持できるようになっている。なお、本実施形態の溝部５２の上端の幅と下端の幅は略同じ寸法であり、図６（ａ）に示される溝部５２の両側面部５２１の上部及び下部の夫々の傾斜角度θは一致している。
【００５４】
ところで、ストッパー５を設置しない場合には、使用者が前記上位置又は前位置にあるアーム４０を下側に向かって回動したときに、アーム４０から突出したノズル４１が壁２に衝突する恐れがある。しかし、本実施形態のシャワー装置１は、このように回動されたアーム４０の先端部がストッパー５の溝部５２に当たるようになっているので、アーム４０のそれ以上の回動を制限することができる。すなわち、アーム４０が非使用位置まで回動されたときには、アーム４０の先端部が溝部５２に挿入されて溝部５２の傾斜した両側面部５２１に前側から当たり、これにより、アーム４０のそれ以上の回動が制限される。
【００５５】
また、アーム４０を勢いよく回動させたとき等には、アーム４０が溝部５２の両側面部５２１よりも後側まで押し込まれる可能性がある。しかし、この場合、アーム４０は溝部５２の奥面部５２０に当たり、それ以上後側に回動することが制限される。そして、前記のようにアーム４０の先端部がストッパー５の溝部５２の両側面部５２１又は奥面部５２０のいずれに当たった場合にも、アーム４０の各ノズル４１は壁２よりも前側に離れた位置に配置されるようになっている。
【００５６】
また、使用者が、ストッパー５の溝部５２で保持されたアーム４０を前側に回動することで、溝部５２からアーム４０の先端部を引き抜いて、ストッパー５によるアーム４０の保持を解除できるようになっている。
【００５７】
以上説明した本実施形態のシャワー装置１は、壁２に固定可能な被固定部（湯水混合栓３０）と、被固定部に連結されたアーム型シャワー４とを備えている。アーム型シャワー４は、一端部が被固定部に対して回動自在に連結されて、この連結部分より前側に向かって突出する前位置から下側に向かって回動可能とされたアーム４０を備えている。また、アーム型シャワー４は、アーム４０から突出したノズルを有している。また、アーム４０を前位置に配置した状態でノズル４１を下側に向かって突出させて利用可能としたシャワー装置１である。また、シャワー装置１は、壁２に固定されるストッパー５をさらに備えている。そして、下側に向かって回動されたアーム４０がストッパー５に当たってそれ以上の回動が制限され、この状態で、アーム４０から突出したノズル４１が、壁２から前側に離れた位置に配置されるようにしてある。
【００５８】
このシャワー装置１にあっては、アーム４０がストッパー５に当たった状態で、アーム４０に設けられたノズル４１を壁２から前側に離れた位置に配置することができる。このため、使用者がアーム４０を前位置から下側に向かって回動したときに、アーム４０に設けられたノズル４１が壁２に衝突することを防止できる。従って、ノズル４１の破損等を生じ難くすることができる。
【００５９】
また、シャワー装置１は、本実施形態のように、ストッパー５が前側に開口する溝部５２を有し、溝部５２の両側面部５２１の間に、下側に向かって回動されたアーム４０の長手方向の一部が挿入されて挟まれるようにすることが好ましい。また、この場合、溝部５２の溝幅ｂを前側に行く程大きくすることが好ましい。このようにすると、製造誤差によりアーム４０の外径に多少のばらつきが生じた場合等にも、アーム４０を溝部５２に嵌め込んで保持することができる。
【００６０】
また、シャワー装置１は、本実施形態のように、溝部５２の両側面部５２１を、上下方向における中間部から上方及び下方に行くにつれて溝幅方向の外側に位置するように傾斜させることが好ましい。このようにすると、装置本体３やストッパー５の設置位置のばらつき等によって、アーム４０の長さ方向が溝部５２の長さ方向に対して多少傾いた場合にも、溝部５２にアーム４０の先端部を嵌め込んで保持することができる。
【００６１】
また、シャワー装置１は、本実施形態のように、ストッパー５においてアーム４０に当たる部分の表面硬度を、アーム４０においてストッパー５に当たる部分の表面硬度よりも小さくすることが好ましい。このようにすると、アーム４０がストッパー５に当たったときに、アーム４０に傷が付くことを防止できる。
【００６２】
なお、本実施形態のストッパー５は、アーム４０の先端部が当たるようにしたものであるが、アーム４０の先端部以外の箇所が当たることで、アーム４０のそれ以上の回動を制限するものであってもよい。また、ストッパー５は、非使用位置に配置されたアーム４０を保持する機能を有さないものであってもよい。
【００６３】
また、ノズル４１はアーム４０に対して固定されて回動不能なものであってもよい。すなわち、シャワー装置は、アーム４０を前位置に配置した状態で、ノズル４１をアーム４０から下側に突出させて利用するものであればよい。
【００６４】
また、アーム型シャワー４の回動範囲の上限を、湯水混合栓３０の筒部３００から前側に突出した位置に設定してもよい。また、本実施形態のシャワー装置１は、二本のアーム型シャワー４を備えているが、１本又は３本以上のアーム型シャワー４を備えるものであってもよい。
【００６５】
また、本実施形態ではアーム型シャワー４を湯水混合栓３０に連結したが、アーム型シャワー４は壁２に固定される湯水混合栓３０以外の被固定部に連結しても構わない。また、この他、シャワー装置１は本発明の要旨を逸脱しない範囲で適宜設計変更可能である。
【符号の説明】
【００６６】
１  シャワー装置
２  壁
４  アーム型シャワー
５  ストッパー
３０  湯水混合栓（被固定部）
４０  アーム
４１  ノズル
５２  溝部
５２１  側面部
【図１】
2014236918.tif 000003
【図２】
2014236918.tif 000004
【図３】
2014236918.tif 000005
【図４】
2014236918.tif 000006
【図５】
2014236918.tif 000007
【図６】
2014236918.tif 000008
【図７】
2014236918.tif 000009
【図８】
2014236918.tif 000010